(57)【要約】 【課題】内輪側に保持された第１のシール部材の着脱を容易にして、メンテナンス性を向上させた転がり軸受け用の密封装置を提供することを目的としている。【解決手段】内輪と外輪との間に潤滑剤を封止する為のシール部材を備え、前記シール部材が前記内輪側に保持された第１のシール部材と前記第１のシール部材よりも軸方向内側の前記外輪側に保持された第２のシール部材とのより構成され、前記第１のシール部材は、その径方向内端部が前記内輪の肩部に設けた環状段部と前記環状段部よりも軸方向内側で前記肩部に着脱自在に取り付けられるシール固定部材により挟持固定されると共に、前記第２のシール部材と弾性接触している弾性シールリップを備えた転がり軸受け用の密封装置において、前記第１のシール部材３１の径方向内端部には、前記環状段部の端面と弾性接触している弾性端面シールリップと前記環状段部の外周面と弾性接触している弾性ラジアルシールリップが形成されていることを特徴とする。【選択図】  図２
2015217418.tif 000002
【特許請求の範囲】
【請求項１】
内輪（１）と外輪（２）との間に潤滑剤を封止する為のシール部材（３）を備え、前記シール部材（３）が前記内輪（１）側に保持された第１のシール部材（３１）と前記第１のシール部材（３１）よりも軸方向内側の前記外輪（２）側に保持された第２のシール部材（３２）とのより構成され、前記第１のシール部材（３１）は、その径方向内端部（３１１）が前記内輪（１）の肩部（１１）に設けた環状段部（１１１）と前記環状段部（１１１）よりも軸方向内側で前記肩部（１１）に着脱自在に取り付けられるシール固定部材（４）により挟持固定されると共に、前記第２のシール部材（３２）と弾性接触している弾性シールリップ（３１２）を備えた転がり軸受け用の密封装置において、
前記第１のシール部材（３１）の径方向内端部（３１１）には、前記環状段部（１１１）の端面（１１２）と弾性接触している弾性端面シールリップ（３３）と前記環状段部（１１１）の外周面（１１３）と弾性接触している弾性ラジアルシールリップ（３４）が形成されていることを特徴とする密封装置。
【請求項２】
前記弾性端面シールリップ（３３）が、軸方向外側で、かつ径方向内側に向かって伸びていることを特徴とする請求項１記載の密封装置。
【請求項３】
前記弾性ラジアルシールリップ（３４）が、径方向内側に向かって伸びると共に先端部（３４１）において軸方向内側に折れ曲がっていることを特徴とする請求項１または２記載の密封装置。
【請求項４】
鉄鋼用圧延機のロール用の軸受けに用いることを特徴とする請求項１〜３のいずれか一項に記載の密封装置。
【発明の詳細な説明】
【技術分野】
【０００１】
本発明は、密封装置に関するものであり、更に詳しくは、主に電磁鋼板やステンレス鋼板等の硬くて伸びにくい鋼材を圧延するセンジマ圧延機のロール軸受装置に用いられる密封装置に関するものである。
【背景技術】
【０００２】
従来、センジマ圧延機の様に、電磁鋼板やステンレス鋼板など、硬く延びにくい鋼材を圧延す場合は、ロールを構成する軸受の外輪外周面は、定期的にリグラインドする必要が有った。
このため、軸受を圧延機から取り外し、軸受を圧延機から取り外す際には、軸受の分解洗浄も同時に行なっていた。
【０００３】
この転がり軸受には、外部からの異物進入を防止するために密封装置が設置されている。
この密封装置としては、図４及び図５に示す構造のものが知られている。（特許文献１）
この種密封装置は、内輪１００と外輪２００との間に潤滑剤を封止する為のシール部材３００が左右に一対配置されている。
【０００４】
このシール部材３００は、内輪１００側に保持された第１のシール部材３１０と、この第１のシール部材３１０よりも軸方向内側に配置されて、外輪２の内周面に着脱可能にスナップリング等によりに保持された板状の第２のシール部材３２０とより構成されている。
【０００５】
この第１のシール部材３１０は、図５に示す様に、その径方向内端部３１１が、内輪１００の肩部１１０に設けた環状段部１１１と、この環状段部１１１よりも軸方向内側で肩部１１０に着脱自在に取り付けられるスナップリング等のシール固定部材４００により挟持固定されると共に、第２のシール部材３２０の側面と弾性接触している弾性シールリップ３１２を備えた構成となっている。
【０００６】
しかし、第１のシール部材３１０の径方向内端部３１１は、内輪１００の肩部１１０に設けた環状段部１１１の外周面１１３に嵌合固定されている。
【０００７】
この為、人の力で第１のシール部材３１０を取り付けたり、取り外したりすることが困難であった。
【０００８】
この結果、第１のシール部材３１０を取り付けた状態で洗浄を行う必要があり、軸受部の洗浄が不十分であり、シール部材のメンテナンス性が悪い問題を招来した。
【先行技術文献】
【特許文献】
【０００９】
【特許文献１】特開２０１２−１７２７２４号公報
【発明の概要】
【発明が解決しようとする課題】
【００１０】
そこで、本発明が前述の状況に鑑み、内輪側に保持された第１のシール部材の着脱を容易にして、メンテナンス性を向上させた転がり軸受け用の密封装置を提供することを目的としている。
【課題を解決するための手段】
【００１１】
上記目的を達成するために本発明にあっては、内輪と外輪との間に潤滑剤を封止する為のシール部材を備え、前記シール部材が前記内輪側に保持された第１のシール部材と前記第１のシール部材よりも軸方向内側の前記外輪側に保持された第２のシール部材とのより構成され、前記第１のシール部材は、その径方向内端部が前記内輪の肩部に設けた環状段部と前記環状段部よりも軸方向内側で前記肩部に着脱自在に取り付けられるシール固定部材により挟持固定されると共に、前記第２のシール部材と弾性接触している弾性シールリップを備えた転がり軸受け用の密封装置において、前記第１のシール部材３１の径方向内端部には、前記環状段部の端面と弾性接触している弾性端面シールリップと前記環状段部の外周面と弾性接触している弾性ラジアルシールリップが形成されていることを特徴とする。
【発明の効果】
【００１２】
本発明は、以下に記載されるような効果を奏する。
請求項１記載の発明の密封装置によれば、第１のシール部材が、その径方向内端部を、環状段部の端面と弾性接触している弾性端面シールリップと、環状段部の外周面と弾性接触している弾性ラジアルシールリップとにより保持される構成としている為、第１のシール部材を環状段部の外周面に嵌合固定する必要が無く、第１のシール部材の着脱が人の力で容易に行え、メンテナンス性を向上させる事が出来る。
また、請求項２記載の発明の密封装置によれば、弾性端面シールリップが、軸方向外側で、かつ径方向内側に向かって伸びる構成としている為、第１のシール部材の着脱が人の力で容易に行えるばかりでなく、第１のシール部材の径方向内端部と内輪との間の良好なシール性を維持出来る。
【００１３】
更に、請求項３記載の発明の密封装置によれば、弾性ラジアルシールリップが、径方向内側に向かって伸びると共に先端部において軸方向内側に折れ曲がっている構成としている為、第１のシール部材の着脱が人の力で容易に行えるばかりでなく、内部からの潤滑剤の漏洩を確実に阻止出来る。
また、請求項４記載の発明の密封装置によれば、鉄鋼用圧延機のロール用の軸受けに用いるのに適している。
【図面の簡単な説明】
【００１４】
【図１】本発明に係る密封装置の縦断面図。
【図２】図１の要部拡大図。
【図３】図１に使用した第１のシール部材の縦断面図。
【図４】従来技術に係る密封装置の縦断面図。
【図５】図４の要部拡大図。
【発明を実施するための形態】
【００１５】
以下、本発明を実施するための最良の形態について説明する。
本発明に係る密封装置は、図１乃至図３に示す様に、内輪１と外輪２との間に潤滑剤を封止する為のシール部材３を備え、このシール部材３が内輪１側に保持された第１のシール部材３１と、この第１のシール部材３１よりも軸方向内側の外輪２内周面に着脱可能にスナップリング等によりに保持された、環状で板状の第２のシール部材３２とより構成されている。
【００１６】
この第１のシール部材３１は、その径方向内端部３１１が内輪１の肩部１１に設けた環状段部１１１と、この環状段部１１１よりも軸方向内側で肩部１１に着脱自在に取り付けられるスナップリング等のシール固定部材４により挟持固定されると共に、第２のシール部材３２と弾性接触している弾性シールリップ３１２を備えた基本構成を有している。
【００１７】
更に、この第１のシール部材３１の径方向内端部３１１には、環状段部１１１の端面１１２と弾性接触している弾性端面シールリップ３３と、環状段部１１１の外周面１１３と弾性接触している弾性ラジアルシールリップ３４が形成されている。
【００１８】
この様に、第１のシール部材３１の径方向内端部３１１は、環状段部１１１の外周面１１３に嵌合固定するのではなく、弾性端面シールリップ３３と弾性ラジアルシールリップ３４により弾性的に支持されている為、第１のシール部材３１の着脱が人の力で容易に行え、メンテナンス性を向上させる事が出来る。
【００１９】
この第１のシール部材３１は、金属材製の環状の板状部材にゴム状弾性材製の弾性シールリップ３１２、弾性端面シールリップ３３及び弾性ラジアルシールリップ３４が一体成形されている。
【００２０】
また、弾性端面シールリップ３３は、軸方向外側で、かつ径方向内側に向かって伸びる構成としている為、第１のシール部材３１の着脱が人の力で容易に行えるばかりでなく、第１のシール部材３１の径方向内端部と内輪との間の良好なシール性を維持出来る。
【００２１】
更に、弾性ラジアルシールリップ３４が、径方向内側に向かって伸びると共に先端部３４１において軸方向内側に折れ曲がっている構成としている為、第１のシール部材３１の着脱が人の力で容易に行えるばかりでなく、内部からの潤滑剤の漏洩を確実に阻止出来る。
【００２２】
更にまた、洗浄やメンテナンスを定期的に行う必要が有る鉄鋼用圧延機のロール用の軸受けに、最適に用いることが出来る。
【００２３】
また、弾性シールリップ３１２、弾性端面シールリップ３３及び弾性ラジアルシールリップ３４のゴム材料としては、フッ素ゴム、シリコーンゴム、ＥＰＤＭ、ニトリルゴム、アクリルゴム、ＨＮＢＲ等の各種のゴム状弾性体を適宜選択して使用出来るが、鉄鋼用圧延機のロール用の様に高温に曝される場合は、耐熱性の観点からフッ素ゴムが好ましい。
【産業上の利用可能性】
【００２４】
鉄鋼用圧延機のロール用の軸受けに用いる密封装置として好適に用いられる。
【符号の説明】
【００２５】
１    内輪
２    外輪
３    シール部材
４    シール固定部材
１１  肩部
３１  第１のシール部材
３３  弾性端面シールリップ
３４  弾性ラジアルシールリップ
１１１環状段部
１１２端面
１１３外周面
３１１径方向内端部
３１２弾性シールリップ
３４１先端部
【図１】
2015217418.tif 000003
【図２】
2015217418.tif 000004
【図３】
2015217418.tif 000005
【図４】
2015217418.tif 000006
【図５】
2015217418.tif 000007